(57)【要約】【課題】携帯端末等において、バッテリーの急峻な電圧変動により電圧が低下した場合においても正常な終了処理を行うことを可能にする。【解決手段】電源にバッテリー１０９を使用し、周辺回路１０６等に電源供給を行う電源電圧供給手段１０５を有する携帯端末等において、電源電圧が所定の設定時間以上、所定の設定電圧以下であることを条件として、前記電源電圧供給手段１０５の電源部１〜ｎから周辺回路１〜ｎへの電源供給を停止し、電子機器の正常な終了処理を行うための前記電源電圧供給手段１０５の終了処理用電源部からの電源供給のみを動作させるように切り替える。バッテリー切れや瞬断の危険性がある場合に終了処理に必要でない周辺回路の電源を切ることで、消費電流を減少させ正常な終了処理を完了するまでの時間を確保する。【選択図】        図１
2004310665.tif 000002
【特許請求の範囲】
【請求項１】
電源にバッテリーを使用し周辺回路に電源電圧を供給する電源の瞬断制御システムであって、電源電圧が所定の設定時間以上、所定の設定電圧以下であることを条件として、前記バッテリーから周辺回路への電源供給を停止し、正常な終了処理を行うための電源供給のみを動作させるように電源を切り替えることを特徴とする瞬断制御システム。
【請求項２】
電源にバッテリーを使用する電源の瞬断制御システムであって、電源電圧が所定の設定時間以上、所定の設定電圧以下であることを条件として、正常な終了処理を行うための電源供給を別のバックアップバッテリーから行うように電源を切り替えることを特徴とする瞬断制御システム。
【請求項３】
電源電圧が動作可能な最低動作電圧以下であることを条件として、電源を前記バックアップバッテリーに切り替えることを特徴とする請求項２記載の瞬断制御システム。
【請求項４】
電源電圧が通常時の電圧に復帰した場合に、電源を前記バッテリーの使用に戻すことを特徴とする請求項２又は３記載の瞬断制御システム。
【請求項５】
終了処理の際に省電力モードに切り替えることを特徴とする請求項１ないし４の何れかの請求項記載の瞬断制御システム。
【請求項６】
前記設定時間及び設定電圧による条件は複数有し、それぞれの条件の組み合せにより前記電源の切り替えを行うことを特徴とする請求項１ないし５の何れか１つの請求項記載の瞬断制御システム。
【請求項７】
請求項１ないし６の何れかの請求項記載の瞬断制御システムを備えることを特徴とする電子機器。
【請求項８】
電源にバッテリーを使用し周辺回路に電源電圧を供給する電子機器の電源の瞬断制御システムであって、周辺回路に対する電源電圧を供給する電源部及び終了処理用電源部を備える電源電圧供給手段と、前記バッテリーの電圧が所定の設定時間以上、所定の設定電圧以下であることを検出する電圧検出部と、前記電圧検出部の出力によりバッテリーの電圧の低下を判断し、電源電圧供給手段の電源部から周辺回路への電源電圧の供給をオフ状態に制御する主制御部と、を有することを特徴とする瞬断制御システム。
【請求項９】
電源にバッテリーを使用し周辺回路に電源電圧を供給する電子機器の電源の瞬断制御システムであって、周辺回路に対し電源電圧を供給する電源部及びバックアップバッテリーに電源電圧を供給する終了処理用電源部を備える電源電圧供給手段と、前記バッテリーの電圧が所定の設定時間以上、所定の設定電圧以下であることを検出する電圧検出部と、前記電圧検出部の出力によりバッテリーの電圧の低下を判断し、前記電源部から前記周辺回路への電源電圧の供給及び前記終了処理用電源部から前記バックアップバッテリーへの電源電圧の供給を停止する主制御部と、を有することを特徴とする瞬断制御システム。
【請求項１０】
前記電圧検出部はそれぞれ複数の設定時間及び設定電圧により、バッテリーの電圧を検出し、前記主制御部は、前記電圧検出部の複数の検出結果によりバッテリーの電圧の低下を判断することを特徴とする請求項８又は９記載の瞬断検出システム。
【発明の詳細な説明】
【０００１】
【発明が属する技術分野】
本発明は、電源の瞬断制御システムに関し、特に、主に携帯電話機等の携帯型端末（ＰＤＡ）、ノートブック型のパーソナルコンピュータ（ＰＣ）などのバッテリーにより動作する電子機器において、電源電圧の瞬断を検出し制御する瞬断制御システムおよび瞬断制御システムを用いた電子機器に関する。
【０００２】
【従来の技術】
携帯電話機などの携帯型端末やＰＤＡ、ノートＰＣなどのバッテリー動作する端末においては、表示部のバックライトの点灯、通信データの送受信など消費電流の大きな動作を行った場合にも急峻な電圧変動が起こりうる。つまり、このような電圧変動においても、電圧変動の幅が大きい、バッテリー容量が少ない、経年変化や使用頻度によりバッテリー性能が消耗している、気温が低くバッテリー性能が低下しているなどの状態にあると、装置として機能するのに必要な最低限の電圧を下回ってしまう、いわゆる瞬断に近い状態になってしまう。かかる瞬断状態になると、装置の正常な終了処理が行われず、メモリなどではデータ破壊、磁気ディスク装置ではヘッドクラッシュなどの装置破壊が起こってしまうという問題があった。
【０００３】
また従来、電池等の電圧が瞬間的に低下する、いわゆる電源電圧の瞬断を検出し、データのバックアップ等の対応を行う等のための瞬断検出回路が知られている（特許文献１〜３参照）。特に、特許文献１には、駆動電源に２次電池を使用した移動電話装置等に関し、落下等の衝撃により電源電圧が数秒間程度の短時間だけ低下する、いわゆる瞬断状態を正確に検出する方法として、電池電圧監視回路により電池電圧が所定の基準値以上であるか否かを判別し、前記基準値未満である場合に、その継続時間をカウンタにより計測し、電圧の低下が瞬断であるか否かを判別する技術が記載されている。
【０００４】
【特許文献１】
特開平９−３０５４２１号公報
【特許文献２】
特開２００１−２５１７８３号公報
【特許文献３】
特開２００２−１１１７８７号公報
【０００５】
【発明が解決しようとする課題】
前述の前者の電源電圧の低下に対する問題への対策としては、通常は使用可能なバッテリー電圧の下限値を高く設定したり、バッテリーの残量を予測するなどにより、バッテリーがまだ使用可能であるにもかかわらず、使用可能とする電圧のマージンを大きくとり、早めに終了処理を行うなどの方法で問題回避を行っていた。しかしこの方法では近年の携帯電話機、ＰＤＡなどの多機能化により各機能の消費電流が増加した中での、バッテリー使用可能電圧の下限値を低くし動作可能時間を出来る限り伸ばしたいという要望と相反するものであり、また同時に複数機能を起動した場合の電圧変動の見積りが非常に難しく、正常終了処理を行っている途中で電源が落ちてしまい、データが破壊されることがあるなどの問題があった。
【０００６】
また、前述の装置落下等の衝撃等による電池電源の接触不良等に起因する完全な瞬断検出を利用することが考えられるが、バッテリーの電圧変動による電圧低下に対して正常な終了処理を完了するまでの時間を確保する好適な制御システムは実現できていなかった。
【０００７】
本発明の目的は、バッテリーで動作する電子機器のバッテリーの電圧変動により電圧が低下した場合においても正常な終了処理を行うことを可能にする機能を提供することにある。
本発明の目的は、主に携帯電話や携帯型端末（ＰＤＡ）、ノートブック型のパーソナルコンピュータなどのバッテリーにより動作する携帯端末等において、バッテリーの電圧変動により電圧が低下した場合においても正常な終了処理を行うことを可能にする機能を提供することにある。
本発明の目的は、電子機器のバッテリー切れや瞬断の危険性がある場合に、消費電流を減少させ正常な終了処理を完了するまでの時間を確保することにある。
本発明の目的は、瞬断状態への対策のため使用電圧のマージンを減らしりバッテリー寿命を延ばすことを可能とする。
【０００８】
【課題を解決するための手段】
本発明の瞬断制御システムは、電源にバッテリー（例えば図１の１０９）を使用し周辺回路に電源電圧を供給する電子機器の電源の瞬断制御システムであって、電源電圧が所定の設定時間以上、所定の設定電圧以下であることを条件として、前記バッテリーから周辺回路（例えば図１の１０６）への電源供給を停止し、電子機器の正常な終了処理を行うための電源供給（例えば図１の１０５の終了処理用電源部からの電源供給）のみを動作させるように電源を切り替えることを特徴とする。
【０００９】
本発明の瞬断制御システムは、電源にバッテリーを使用する電子機器の電源の瞬断制御システムであって、電源電圧が所定の設定時間以上、所定の設定電圧以下であることを条件として、電子機器の正常な終了処理を行うための電源供給を別のバックアップバッテリーから行うように電源を切り替えることを特徴とし、電源電圧が電子機器の動作可能な最低動作電圧以下であることを条件として、電源を前記バックアップバッテリーに切り替えることを特徴とする。更に、電源電圧が通常時の電圧に復帰した場合に、電源を前記バッテリーの使用に戻すことを特徴とする。
【００１０】
また、終了処理の際に省電力モードに切り替えることを特徴とし、前記設定時間及び設定電圧による条件は複数有し、それぞれの条件の組み合せにより前記電源の切り替えを行うことを特徴とする。
より具体的には、電源にバッテリー（例えば図１の１０９）を使用し周辺回路に電源電圧を供給する電子機器の電源の瞬断制御システムであって、周辺回路に対する電源電圧を供給する電源部及び終了処理用電源部を備える電源電圧供給手段（図１の１０５）と、前記バッテリーの電圧が所定の設定時間以上、所定の設定電圧以下であることを検出する電圧検出部（図１の１０３、１０４）と、前記電圧検出部の出力によりバッテリーの電圧の低下を判断し、電源電圧供給手段の電源部から周辺回路への電源電圧の供給をオフ状態に制御する主制御部（図１の１０１、１０２）と、を有することを特徴とし、また、電源にバッテリー（例えば図１の１０９）を使用し周辺回路に電源電圧を供給する電子機器の電源の瞬断制御システムであって、周辺回路に対し電源電圧を供給する電源部及びバックアップバッテリーに電源電圧を供給する終了処理用電源部を備える電源電圧供給手段（図１の１０５）と、前記バッテリーの電圧が所定の設定時間以上、所定の設定電圧以下であることを検出する電圧検出部（図１の１０３、１０４）と、前記電圧検出部の出力によりバッテリーの電圧の低下を判断し、前記電源部から前記周辺回路への電源電圧の供給及び前記終了処理用電源部から前記バックアップバッテリーへの電源電圧の供給を停止する主制御部（図１の１０１、１０２）と、を有することを特徴とする。
【００１１】
【発明の実施の形態】
（構成の説明）
図１は、本発明の一実施の形態としての電源の瞬断制御システム及び瞬断制御システムを用いた電子機器の構成を示す図である。本実施の形態は携帯端末等の電子機器であり、メインバッテリー１０９と瞬断制御システム１００と周辺回路１０６から構成される。メインバッテリー１０９は電子機器全体の主たる電源電圧供給源を構成し、瞬断制御システム１００は、主制御手段１０１、記憶手段１０２、電圧検出手段１０３、タイマー部１０４及び電源電圧供給手段１０５で構成され、周辺回路１０６は電源電圧供給手段１０５から電源供給される構成でなる。以下、各部の構成、機能を説明する。
【００１２】
主制御手段１０１は、各種のプログラムに基づいて瞬断制御システムを含む電子機器の各部の主たる制御を行う手段である。記憶手段１０２は、携帯端末等としての電子機器、瞬断制御システム１００およびそれを用いた周辺回路１０６などを制御するための前記各種のプログラム及び電子機器の機能、設定データ、動作履歴等の各種データに加え、主電源の電圧の低下を監視し検出するため、基準値として設定された任意の設定電圧（以下、瞬断検出電圧という。）及び任意の設定時間（以下、瞬断検出判定時間という。）のデータなどを格納する手段であり、主制御手段１０１によりリード、ライトされる。例えば前記瞬断検出判定時間及び瞬断検出電圧のデータは、それぞれ複数の設定が可能であり図示しない入力手段から主制御手段１０１を介して記憶手段１０２に記憶される。
【００１３】
また、主制御手段１０１は電圧検出手段１０３、タイマー部１０４及び電源電圧供給手段１０５を制御する機能を有する。更に電圧検出手段１０３から送信される瞬断検出信号１０７を受信し、瞬断検出信号１０７が如何なる条件で送信されたものであるかにより、電源電圧供給手段１０５における電源供給を制御する。主制御手段１０１による電源電圧供給手段１０５の制御の概要は、電圧検出手段１０３から送信される瞬断検出信号１０５に基づいて、瞬断検出信号１０７が送信された要因を判断し、電源電圧供給手段１０５の複数の電源部の電源供給を選択的にオン／オフ制御して、瞬断状態での瞬断制御システムを含め電子機器の動作の正常終了への処理、例えば各種端子設定、主制御手段１０１やその他の回路の動作周波数を下げる等の省電力モードへの切り替えを経て、各種データの保存等の制御を行うものである。
【００１４】
電圧検出手段１０３は、主制御手段１０１から設定された前記瞬断検出判定時間及び瞬断検出電圧を入力し、これらを基準値としてメインバッテリー１０９から出力される主電源の電圧を監視する機能を有する。より具体的には電圧検出手段１０３は、主電源の電圧が前記瞬断検出電圧以下の状態となり、且つ前記瞬断検出判定時間以上継続した場合に、２値信号等の瞬断検出信号１０７を主制御手段１０１に出力する。論理固定抵抗１０８は電圧検出手段１０３に電源電圧が供給されない場合などに瞬断検出信号１０７の論理を確定するためのプルダウン抵抗である。なお、瞬断検出信号の論理及び回路の違いによりプルアップとすることもある。
【００１５】
ここで、電源電圧の瞬断の判断基準となる前記瞬断検出判定時間及び瞬断検出電圧は、主制御手段１０１から電圧検出手段１０３に対しそれぞれ単一又は複数が設定されうる。主制御手段１０１は記憶手段１０２に予め記憶された複数の瞬断検出判定時間及び瞬断検出電圧の値の内、単一又は複数の瞬断検出判定時間及び瞬断検出電圧を読み出して選択的に電圧検出手段１０３に設定する。
【００１６】
タイマー部１０４は時間を計測する動作を行うものであり、電圧検出手段１０３に設定された瞬断検出電圧以下の電源電圧の状態をその始点から時間計測し、電圧検出手段１０３に設定された瞬断検出判定時間以上になると電圧検出手段１０３に通知する機能を有し、計測動作自体は主制御手段１０１に制御される。電圧検出手段１０３は、タイマー部１０４の前記機能により電源電圧の瞬断状態を判定し、主制御手段１０１に瞬断検出信号を出力する。
【００１７】
電源電圧供給手段１０５は、電子機器を構成する瞬断制御システム１００および周辺回路１０６の各ブロックに電源電圧を供給する手段であり、瞬断制御システム１００を含む電子機器を正常に終了させるための終了処理用電源部、周辺回路１０６の個別の周辺回路１、周辺回路２、・・・周辺回路ｎの各々に対する供給電源としての電源部１、電源部２、・・・電源部ｎの複数の電源供給部から構成される。電源電圧供給手段１０５は、電源の電力消費を抑制する際、各電源部から供給する電力供給を選択的に切り替える。例えば、主制御手段１０１は瞬断状態を判断したとき電源電圧供給手段１０５を制御し、電源電圧供給手段１０５は少なくとも終了処理用電源部を除く他の電源部から周辺回路１０６への電力供給を停止する。
【００１８】
以上の構成により、主制御手段１０１は電圧検出手段１０３からの瞬断検出信号１０７により、瞬断状態で終了処理用電源部を残して他の電源部の電源供給機能について、例えば全て停止させることにより終了処理用電源部が出力する電圧の低下を抑制して瞬断制御システム１００を含む電子機器の動作の終了処理を正常に実行することを可能とする。
【００１９】
（動作の説明）
次に、本実施の形態の動作を図面を参照して以下説明する。
図２は、本発明の実施の形態のメインバッテリー１０９の電圧の変化を示すグラフである。図２（ａ）〜（ｃ）は通常時の電圧Ｖ０に対して、瞬時的な電圧降下を検出するための複数の瞬断検出電圧Ｖｔ１〜Ｖｔｎと、それぞれその継続時間を判定するための瞬断検出判定時間ｔ１〜ｔｎの関係を示す説明図である。それぞれ瞬断検出電圧Ｖｔ１〜Ｖｔｎと瞬断検出判定時間ｔ１〜ｔｎの条件を充足した場合に瞬断と判定する。
【００２０】
電圧検出手段１０３は、図２（ａ）〜（ｃ）に示すような複数の瞬断検出電圧を設定することが可能であり、またそれぞれの瞬断検出電圧において、瞬断検出判定時間ｔ１〜ｔｎを設定することが可能である。例えば図２（ａ）ではメインバッテリー１０９の電源電圧がＶｔ１以下になっている時間がｔ１以上の間持続した場合に瞬断検出信号１０７を主制御手段１０１に送信する。瞬断検出信号１０７としては、時間ｔ１に達するまでは電圧ロー（Ｌｏｗ）レベルで瞬断の非検出状態を表し、時間ｔ１に達した時点で電圧ハイ（Ｈｉｇｈ）レベルを出力し瞬断の検出状態を表す信号とすることができる。前述のように瞬断検出判定時間の測定にはタイマー部１０４が用いられる。
【００２１】
複数の瞬断検出電圧と瞬断検出判定時間の組み合せは主制御手段１０１により任意に設定可能であり、主制御手段１０１は、電圧検出手段１０３において設定された条件を満たした場合に送信されるそれぞれの組み合せに対応する複数の瞬断検出信号１０７を受信して電圧低下の状況を判断し、電源電圧供給手段１０５に含まれる各電源部の供給のオン／オフをコントロールし、周辺回路１０６に供給する電源部１〜ｎの供給動作をオフ状態にすることにより、電子機器及び瞬断制御システムの動作の終了処理に必要な主制御手段１０１及び記憶手段１０２に電力を供給する終了処理用電源部から供給する電源電圧の低下を抑制する。
【００２２】
また、以上の判定とは別に、図２（ｄ）に示すように論理回路の正常動作などの為に必要な閾値電圧である最低動作電圧Ｖｔ０を下回った場合は瞬間的に電源をオフ（ＯＦＦ）とする通常の閾値も有するように構成することができる。瞬断検出電圧Ｖｔ１〜Ｖｔｎは、最低動作電圧Ｖｔ０より高い電圧に設定される。
【００２３】
図３は、本実施の形態の動作のフローチャートを示す図である。図３に示すフローチャートでは、まず主制御手段１０１は瞬断検出電圧の設定（３０２）、瞬断検出判定時間の設定（３０３）を行い、瞬断検出信号を検出したか否かを判断する処理ループ（３０４）により電子機器の瞬断状態の発生を監視するとともに、通常の各種の動作を継続する。主制御手段１０１が電圧検出手段１０３から瞬断検出信号１０７を受信した場合、主制御手段１０１は終了処理モードへ移行（３０５）し、終了処理用電源部以外の電源供給を停止（３０６）し、終了処理を行う（３０７）。この終了処理モードで行われる処理としては、例えば各周辺回路機能をＯＦＦにすることにより必要となる端子処理設定（プルアップ／プルダウンなど）を行うことや主制御手段１０１やその周辺回路１０６の動作周波数を下げる、動作電圧を下げるなどの消費電流の低減を行うところの省電力モードに替えるなどの動作である。
【００２４】
図４は、電圧検出手段１０３に複数の瞬断検出電圧と瞬断検出判定時間を設定した場合の判定処理の内容を示す図である。例えば、電源電圧が低下する各種の原因が考えられるが、一般に軽度の電圧低下から重度の電圧低下までを、複数の瞬断検出電圧Ｖｔ１〜Ｖｔｎにより類別し、それぞれの電圧低下に対し設定された瞬断検出判定時間ｔ１〜ｔｎにより瞬断か否かの判定を行い、電源供給のオン／オフ制御を行う。例えば、僅かな電圧低下の場合には比較的長い瞬断検出判定時間Ｖｔ１を設定し、大きな電圧低下には短かい瞬断検出判定時間Ｖｔｎを設定し、主制御手段１０１では電圧検出手段１０３からそれぞれの瞬断検出信号を受信することにより、何れの電源部からの電源供給をオフにするか等のきめ細かい制御を行うことを可能とする。
【００２５】
また、主制御手段は、電圧検出手段１０３に対し複数の瞬断検出電圧及び瞬断検出判定時間を設定し瞬断検出信号を受信することにより、どれくらいの頻度、どれくらいの電圧まで電圧低下が起きているのかを認知することができ、電源の性能の評価、消耗度等を監視することが可能である。
（他の実施の形態）
本発明の第２の実施の形態としては、終了処理用のバックアップ用のバッテリー（バックアップバッテリー）を付加し、電圧検出手段１０３が瞬断検出信号１０７を送信した際にハード的にバックアップモードに移行し、より確実に終了処理を行う例が考えられる。
【００２６】
図５は、本発明の第２の実施の形態を示す図である。第２の実施の形態における基本的な構成は第１の実施の形態と基本的には同等であるが、電界効果トランジスタ（以下、ＦＥＴという。）１１０、ダイオード１１１、バックアップバッテリー１１２、バックアップバッテリーへの突入電流防止用抵抗１１３を付加する点が異なる。
【００２７】
ＦＥＴ１１０は主制御手段１０１と記憶手段１０２などの終了処理に必要な回路へ供給される電源電圧の供給源を切り替えるためのスイッチ機能を有しており、瞬断検出信号１０７により制御される。この例では瞬断検出信号１０７がＬｏｗの時にＦＥＴがＯＮとなり、Ｈｉｇｈの時にＯＦＦとなるＰチャネル型ＦＥＴとしているが、瞬断検出信号１０７の論理や回路構成などによりＮチャネル型ＦＥＴなどの構成も採り得る。また同様な機能を有する他のデバイスを使用する構成とすることも可能である。
【００２８】
ダイオード１１１は終了処理用電源部からの電源電圧をバックアップバッテリー１１２にＦＥＴ１１０をバイパスして供給するためのものであり、これによりＦＥＴ１１０の状態にかかわり無く、主制御手段１０１、記憶手段１０２へ電源供給することが可能となる。バックアップバッテリー１１２は瞬断検出時に主制御手段１０１、記憶手段１０２に電源を供給するための補助バッテリーであり、通常時には終了処理用電源部からの電源電圧により充電されており、瞬断検出時でかつ終了処理用電源部からの供給電圧が減少もしくは無くなった場合に終了処理に必要な電源電圧の供給源として機能する。突入電流防止用抵抗１１３はバックアップバッテリー１１２への充電電流を制限するための抵抗であり、バックアップバッテリーの劣化を防止する機能を有する。
【００２９】
次に、第２の実施の形態の動作を図５を用いて説明する。第１の実施の形態と基本的な動作は同様であるが、瞬断検出信号１０７が送信され、終了処理モードへと移行するまでの動作が異なっている。
【００３０】
電源検出手段１０３から瞬断検出信号１０７が主制御手段１０１へ送信されると同時にＦＥＴ１１０がＯＦＦになる。この後に終了処理用電源部から供給される電源電圧が十分に高い場合には、ダイオード１１１を介して終了処理用電源部から主制御手段１０１、記憶手段１０２へと電源電圧が供給されるが、終了処理用電源部から供給される電源電圧がバックアップバッテリー１１２から供給される電圧よりも低くなった場合には主としてバックアップバッテリー１１２から主制御手段１０１、記憶手段１０２へ電源電圧が供給される。
【００３１】
ここで主制御手段１０１は電圧検出手段１０３が動作している場合には瞬断検出信号１０７の送信要因を判断しメインバッテリー電圧低下が一時的なもので、まだしばらくの間、通常動作が可能であると判断した場合には、電圧検出手段１０３を制御して、瞬断検出信号１０７を瞬断が検出されないことを示すＬｏｗ状態にし、ＦＥＴ１１０をＯＮとして、電源供給源を通常の終了処理用電源部のみの状態に戻す。つまり、主制御手段１０１は、電源電圧が通常時の電圧に復帰したと判断できる場合に、電源を前記バッテリー１０９の使用に戻す制御を行う。
【００３２】
電圧検出手段１０３や電源電圧供給手段１０５が動作していない場合などメインバッテリーの電圧が低下し通常動作不能な状態であると判断される場合には、終了処理を行う終了処理モードへ移行する。ここでのバックアップバッテリー１１２の容量はこの終了処理を行うのに十分な容量が必要である。この第２の実施の形態においては電源電圧供給源の切り替えがハードウェアで行われるため、最低動作電圧よりも高い電圧に設定されている瞬断検出電圧だけでなく、急峻な電圧変動などにより、不意に最低動作電圧以下になるような電源が切断される場合などにも正常な終了処理を行うことが可能である。
【００３３】
以上の実施の形態では、正常な終了処理を可能とする例で説明したが、瞬断による終了処理は緊急の終了処理として、終了画面を表示する時間の短縮などの冗長な処理を省略した、より短時間で行える処理へ変更することが可能である。
なお、本発明は上記各実施の形態に限定されず、本発明の技術思想の範囲内において、各実施の形態は適宜変更され得ることは明らかである。
【００３４】
【発明の効果】
本発明によれば、設定された設定時間（瞬断検出判定時間）以上、設定された設定電圧（瞬断検出電圧）以下を条件として周辺回路の電源供給を停止し、正常な終了処理を行うための電源供給のみを動作させるように構成することにより、バッテリー切れや瞬断の危険性がある場合に終了処理に必要でない周辺回路の電源を切ることができ、消費電流を減少させ正常な終了処理を完了するまでの時間を確保することが可能である。
【００３５】
また、複数の瞬断検出電圧等を設け、同様な処理を行った際の電圧低下量をモニタするように構成することにより、電圧低下の危険性をより正確に把握し、バッテリー残量を有効に活用することが可能である。
【００３６】
更に、複数の瞬断検出電圧を設けることにより、主制御手段は瞬時電圧低下がどれくらいの頻度、どれくらいの電圧まで起きているのかを認知することが可能であり、このことにより瞬断の危険性をより正確に予測し、通常通りの動作を継続するか、もしくは消費電流の大きな周辺回路の電源を切り、正常な終了処理を完了するまでの時間を確保するか、といった状況に応じた処理が可能となる。
【００３７】
また、ある任意の周辺回路起動時等の瞬間的なバッテリーの電圧低下量をモニタすることを可能とすることにより、バッテリー性能の低下時など電圧低下量が変動した場合にも、それに応じた処理が可能となる。
【００３８】
本発明によれば、バックアップバッテリーを設けることにより、メインバッテリー電圧の瞬断時などにハードウェアによる電源供給源を切り替え、確実に終了処理を行うことが可能となる。
【００３９】
また、バックアップバッテリーを設けた場合、瞬断時にはバックアップバッテリーに切り替えるとともに、メインバッテリー電圧が正常状態へ復帰した後は通常状態へ戻すことが可能なため、瞬断対策のための電圧マージンを減らすことが可能になりバッテリー寿命を延ばすことが可能となる。
【００４０】
更に、電子機器が動作可能な最低動作電圧をも設定することにより、予期せぬタイミングで電源が切れてしまうような場合にも、電子機器の正常な終了処理を行うために必要な回路ブロックへ電源電圧の供給を切り替えることが可能となる。
【図面の簡単な説明】
【図１】本発明の第１の実施の形態の電源の瞬断制御システム及び瞬断制御システムを含む電子機器の構成を示す図である。
【図２】本実施の形態のメインバッテリー１０９の電圧の変化を示すグラフである。
【図３】本実施の形態の動作のフローチャートを示す図である。
【図４】電圧検出手段に複数の瞬断検出電圧と瞬断検出判定時間を設定した場合の判定処理の内容を示す図である。
【図５】本発明の第２の実施の形態を示す図である。
【符号の説明】
１００  瞬断制御システム
１０１  主制御手段
１０２  記憶手段バックアップバッテリー
１０３  電圧検出手段
１０４  タイマー部
１０５  電源電圧供給手段
１０６  周辺回路
１０７  瞬断検出信号
１０８  プルダウン抵抗
１０９  バッテリー
１１０  電界効果トランジスタ（ＦＥＴ）
１１１  ダイオード
１１２  バックアップバッテリー
１１３  抵抗
【図１】
2004310665.tif 000003
【図２】
2004310665.tif 000004
【図３】
2004310665.tif 000005
【図４】
2004310665.tif 000006
【図５】
2004310665.tif 000007